(57)【要約】【課題】エージング工程において、エージング時間の最適化を図り、製造タクトを抑え、また不用意に輝度を劣化させることのないＸＹマトリクスパネルのエージング処理方法、エージング処理装置を提供する。【解決手段】ＸＹマトリクスパネル１に順方向電圧を印加させるエージング駆動手段２と、ＸＹマトリクスパネル１の点灯画素の輝度を連続測定する輝度測定手段３と、輝度測定手段３により測定した輝度測定値を記憶する記憶手段とを備え、輝度測定手段３による輝度測定値と、記憶手段に記憶した輝度測定値とを比較し、この比較結果に基づいてエージング終了時間を判断する。【選択図】　　　図１
2004087407.tif 000002
【特許請求の範囲】
【請求項１】
ＸＹマトリクスパネルに順方向電圧を印加させるエージング駆動手段と、ＸＹマトリクスパネルの点灯画素の輝度を連続測定する輝度測定手段と、該輝度測定手段により測定した輝度測定値を記憶する記憶手段とを備え、
輝度測定手段による輝度測定値と、記憶手段に記憶した輝度測定値とを比較し、この比較結果に基づいてエージング終了時間を判断することを特徴とするＸＹマトリクスパネルのエージング処理方法。
【請求項２】
前記ＸＹマトリクスパネルがマルチカラータイプであり、点灯画素の輝度を連続測定する輝度測定手段が発光色ごとに独立し、記憶手段が発光色ごとの輝度測定値を記憶し、
輝度測定手段による輝度測定値と記憶手段に記憶した輝度測定値とを比較し、比較結果に基づいてエージング終了時間を発光色ごとに判断することを特徴とする請求項１に記載のＸＹマトリクスパネルのエージング処理方法。
【請求項３】
前記輝度測定手段による輝度測定値と記憶手段に記憶したエージング開始直後の初期輝度測定値とを比較し、輝度測定値が初期輝度測定値以下になったことを検出した後、エージングを終了させることを特徴とする請求項１または２に記載のＸＹマトリクスパネルのエージング処理方法。
【請求項４】
前記輝度測定手段による輝度測定値と記憶手段に記憶した前回の輝度測定値とを比較し、輝度測定値が最高輝度になったことを検出した後、エージングを終了させることを特徴とする請求項１または２に記載のＸＹマトリクスパネルのエージング処理方法。
【請求項５】
前記ＸＹマトリクスパネルが、対向する一対の電極間に少なくとも有機発光材料からなる発光層を含む有機層を積層して成る積層構造体を基板上に備えた有機エレクトロルミネッセンスパネルであることを特徴とする請求項１から４のいずれかに記載のＸＹマトリクスパネルのエージング処理方法。
【請求項６】
ＸＹマトリクスパネルに順方向電圧を印加させるエージング駆動手段と、ＸＹマトリクスパネルの点灯画素の電流を連続検出する電流検出部と、該電流検出部により検出した電流出力値を記憶する記憶手段とを備え、
電流検出部による電流検出値と、記憶手段に記憶した電流検出値とを比較し、この比較結果に基づいてエージング終了時間を判断することを特徴とするＸＹマトリクスパネルのエージング処理方法。
【請求項７】
前記ＸＹマトリクスパネルがマルチカラータイプであり、点灯画素の電流を連続検出する電流検出部が発光色ごとに独立し、記憶手段が発光色ごとの電流測定値を記憶し、
電流検出部による電流検出値と記憶手段に記憶した電流検出値とを比較し、比較結果に基づいてエージング終了時間を発光色ごとに判断することを特徴とする請求項６に記載のＸＹマトリクスパネルのエージング処理方法。
【請求項８】
前記電流検出部による電流検出値と記憶手段に記憶したエージング開始直後の初期電流検出値とを比較し、電流検出値が初期電流検出値以下になったことを検出した後、エージングを終了させることを特徴とする請求項６または７に記載のＸＹマトリクスパネルのエージング処理方法。
【請求項９】
前記電流検出部による電流検出値と記憶手段に記憶した前回の電流検出値とを比較し、電流検出値が最高電流になったことを検出した後、エージングを終了させることを特徴とする請求項６または７に記載のＸＹマトリクスパネルのエージング処理方法。
【請求項１０】
前記ＸＹマトリクスパネルが、対向する一対の電極間に少なくとも有機発光材料からなる発光層を含む有機層を積層して成る積層構造体を基板上に備えた有機エレクトロルミネッセンスパネルであることを特徴とする請求項６から９のいずれかに記載のＸＹマトリクスパネルのエージング処理方法。
【請求項１１】
ＸＹマトリクスパネルに順方向電圧を印加させるエージング駆動手段と、ＸＹマトリクスパネルの点灯画素の輝度を連続測定する輝度測定手段と、該輝度測定手段により測定した輝度測定値を記憶する記憶手段と、エージング終了時間を判断する制御装置とを備えており、
制御装置は、輝度測定手段による輝度測定値と、記憶手段に記憶した輝度測定値とを比較し、この比較結果に基づいてエージング終了時間を判断することを特徴とするＸＹマトリクスパネルのエージング処理装置。
【請求項１２】
前記ＸＹマトリクスパネルがマルチカラータイプであり、点灯画素の輝度を連続測定する輝度測定手段が発光色ごとに独立に配され、記憶手段が発光色ごとの輝度測定値を記憶し、
制御装置は、輝度測定手段による輝度測定値と記憶手段に記憶した輝度測定値とを比較し、比較結果に基づいてエージング終了時間を発光色ごとに判断することを特徴とする請求項１１に記載のＸＹマトリクスパネルのエージング処理装置。
【請求項１３】
ＸＹマトリクスパネルに順方向電圧を印加させるエージング駆動手段と、ＸＹマトリクスパネルの点灯画素の電流を連続検出する電流検出部と、該電流検出部により検出した電流出力値を記憶する記憶手段と、エージング終了時間を判断する制御装置とを備えており、
制御装置は、電流検出部による電流検出値と、記憶手段に記憶した電流検出値とを比較し、この比較結果に基づいてエージング終了時間を判断することを特徴とするＸＹマトリクスパネルのエージング処理装置。
【請求項１４】
前記ＸＹマトリクスパネルがマルチカラータイプであり、点灯画素の電流を連続検出する電流検出部が発光色ごとに独立に配され、記憶手段が発光色ごとの電流測定値を記憶し、
制御装置は、電流検出部による電流検出値と記憶手段に記憶した電流検出値とを比較し、比較結果に基づいてエージング終了時間を発光色ごとに判断することを特徴とする請求項１３に記載のＸＹマトリクスパネルのエージング処理装置。
【発明の詳細な説明】
【０００１】
【発明の属する技術分野】
本発明は、有機エレクトロルミネッセンスパネルに代表されるＸＹマトリクスパネルのエージング処理方法、及びこれに使用するエージング処理装置に関する。
【０００２】
【従来の技術】
近年、有機エレクトロルミネッセンス素子（以下、「有機ＥＬ素子」と称する。）を使用した表示パネルの実用化されている。高輝度自発光素子である有機ＥＬ素子は、従来の表示パネルに比べ、低電圧化、薄型化、高コントラスト化などが可能であり、次世代表示パネルとして開発が盛んである。しかしながら、有機化合物からなる有機ＥＬ素子は熱に弱く、輝度劣化が速いため、有機ＥＬ素子の急務な課題としては長寿命化などが掲げられている。現在製品化されている有機ＥＬ素子の輝度半減寿命は、デューティ駆動で約５０００時間から１００００時間といった実力になっている。
【０００３】
図５は、従来の有機ＥＬ素子における輝度劣化状況を示す説明図である。これは有機ＥＬパネルを定電圧駆動した際の輝度の変化をプロットしたグラフである。図５では、有機ＥＬパネルを製造後定電圧駆動で通電を始めると、通電初期に輝度が一旦上昇する現象が見られる。時間ｔ１になると輝度は最高輝度となり、時間ｔ２になると輝度は初期輝度と同じレベルに降下し、更に徐々に輝度を落としていく変化を示す。特に時間ｔ１以前の輝度変化は急峻である。この様に有機ＥＬ素子を電圧駆動すると輝度が常に変動してしまうため、実際の製品では定電流による駆動が採用されている。有機ＥＬ素子は輝度と電流が比例関係にあるため、電流駆動をすると輝度むらを抑え、良好な画像品質を得ることができるものである。
【０００４】
一方で、有機ＥＬ素子は両電極間に接合容量が存在するため、定電流で有機ＥＬ素子を発光開始させた直後は、この接合容量へ充電電流が流れてしまい、有機ＥＬ素子は発光遅延を引き起こすなどの問題がある。この問題を回避するため、発光開始直後に接合容量を充電する技術が紹介されている。特許３１０２４１１号における第一の実施例では、パルス充電による技術が開示されている。この第一の実施例では、定電流駆動開始時に定電圧源を一瞬だけオンさせ、前記接合容量を充電するものである。この様な技術をもって充電を行なうと、瞬時に接合容量を充電させ、有機ＥＬ素子を速やかに電流駆動させることが可能である。
【０００５】
しかし、有機ＥＬ素子が充電期間中は定電圧駆動であるため、前述の様な輝度変動要因によりパネルの輝度むらを引き起こすことがあった。特に、有機ＥＬパネルの通電を開始してから、図５における時間ｔ１までは輝度が非常に不安定で、例えば、有機ＥＬパネルに任意のパターンを表示させた後に全点灯すると、それまで点灯していた表示パターンの残像がポジティブの残像として残ってしまう等の不具合を生じていた。また、有機ＥＬパネルがフルカラーの場合には、輝度むらによりＲＧＢの３色の輝度バランスがずれるため、有機ＥＬパネルの色度が急激に変わってしまうなどの不具合も発生していた。
【０００６】
【発明が解決しようとする課題】
この様な問題を回避するため、有機ＥＬパネルは出荷する前に通電エージングをかけ、輝度変化が安定域に達する時間を経過させた後に出荷する方法が一般的に取られている。
【０００７】
しかしながら、有機ＥＬ素子の製造ばらつき、有機ＥＬパネル内のむら、及び有機ＥＬ素子の色や画素サイズの仕様などによりｔ１、ｔ２は区々である。即ち、輝度変化が安定域に入る時間が区々であるため、エージング時間にかなり余裕をみる必要があった。しかし、この様な製造工程では、エージング時間が必要以上に長くなってしまい、製造タクトが増え、結果的に製品価格を上昇させてしまったり、不用意に輝度を劣化させてしまったりと、多くの課題を抱えていた。有機ＥＬパネルに限らず、同様に初期輝度が不安定であるＸＹマトリクスパネルは、こうしたエージングの問題を抱えている。
【０００８】
本発明は、上記の課題に鑑みて創案されたものであり、輝度の安定化を図るためのＸＹマトリクスパネルのエージング工程において、エージング時間の最適化を図り、製造タクトを抑え、また不用意に輝度を劣化させることのないＸＹマトリクスパネルのエージング処理方法、及びこれに使用するエージング処理装置を提供することにある。
【０００９】
【課題を解決するための手段】
上記の課題を解決すべく、本発明に係るＸＹマトリクスパネルのエージング処理方法は、ＸＹマトリクスパネルに順方向電圧を印加させるエージング駆動手段と、ＸＹマトリクスパネルの点灯画素の輝度を連続測定する輝度測定手段と、該輝度測定手段により測定した輝度測定値を記憶する記憶手段とを備え、
輝度測定手段による輝度測定値と、記憶手段に記憶した輝度測定値とを比較し、この比較結果に基づいてエージング終了時間を判断することを特徴とする。
【００１０】
このエージング処理方法において、ＸＹマトリクスパネルがマルチカラータイプであり、点灯画素の輝度を連続測定する輝度測定手段が発光色ごとに独立し、記憶手段が発光色ごとの輝度測定値を記憶し、
輝度測定手段による輝度測定値と記憶手段に記憶した輝度測定値とを比較し、比較結果に基づいてエージング終了時間を発光色ごとに判断してもよい。
【００１１】
上記のＸＹマトリクスパネルのエージング処理方法において、輝度測定手段による輝度測定値と記憶手段に記憶したエージング開始直後の初期輝度測定値とを比較し、輝度測定値が初期輝度測定値以下になったことを検出した後、エージングを終了させることが好ましい。
【００１２】
或いは、輝度測定手段による輝度測定値と記憶手段に記憶した前回の輝度測定値とを比較し、輝度測定値が最高輝度になったことを検出した後、エージングを終了させてもよい。
【００１３】
また、ＸＹマトリクスパネルは、対向する一対の電極間に少なくとも有機発光材料からなる発光層を含む有機層を積層して成る積層構造体を基板上に備えた有機エレクトロルミネッセンスパネルであることが好ましい。
【００１４】
本発明に係る他のＸＹマトリクスパネルのエージング処理方法は、ＸＹマトリクスパネルに順方向電圧を印加させるエージング駆動手段と、ＸＹマトリクスパネルの点灯画素の電流を連続検出する電流検出部と、該電流検出部により検出した電流出力値を記憶する記憶手段とを備え、
電流検出部による電流検出値と、記憶手段に記憶した電流検出値とを比較し、この比較結果に基づいてエージング終了時間を判断することを特徴とする。
【００１５】
このエージング処理方法において、ＸＹマトリクスパネルがマルチカラータイプであり、点灯画素の電流を連続検出する電流検出部が発光色ごとに独立し、記憶手段が発光色ごとの電流測定値を記憶し、
電流検出部による電流検出値と記憶手段に記憶した電流検出値とを比較し、比較結果に基づいてエージング終了時間を発光色ごとに判断してもよい。
【００１６】
他のＸＹマトリクスパネルのエージング処理方法において、電流検出部による電流検出値と記憶手段に記憶したエージング開始直後の初期電流検出値とを比較し、電流検出値が初期電流検出値以下になったことを検出した後、エージングを終了させることが好ましい。
【００１７】
或いは、電流検出部による電流検出値と記憶手段に記憶した前回の電流検出値とを比較し、電流検出値が最高電流になったことを検出した後、エージングを終了させてもよい。
【００１８】
また、ＸＹマトリクスパネルは、対向する一対の電極間に少なくとも有機発光材料からなる発光層を含む有機層を積層して成る積層構造体を基板上に備えた有機エレクトロルミネッセンスパネルであることが好ましい。
【００１９】
本発明に係るＸＹマトリクスパネルのエージング処理装置は、ＸＹマトリクスパネルに順方向電圧を印加させるエージング駆動手段と、ＸＹマトリクスパネルの点灯画素の輝度を連続測定する輝度測定手段と、該輝度測定手段により測定した輝度測定値を記憶する記憶手段と、エージング終了時間を判断する制御装置とを備えており、
制御装置は、輝度測定手段による輝度測定値と、記憶手段に記憶した輝度測定値とを比較し、この比較結果に基づいてエージング終了時間を判断することを特徴とする。
【００２０】
このエージング処理装置において、ＸＹマトリクスパネルがマルチカラータイプであり、点灯画素の輝度を連続測定する輝度測定手段が発光色ごとに独立に配され、記憶手段が発光色ごとの輝度測定値を記憶し、
制御装置は、輝度測定手段による輝度測定値と記憶手段に記憶した輝度測定値とを比較し、比較結果に基づいてエージング終了時間を発光色ごとに判断してもよい。
【００２１】
本発明に係る他のＸＹマトリクスパネルのエージング処理装置は、ＸＹマトリクスパネルに順方向電圧を印加させるエージング駆動手段と、ＸＹマトリクスパネルの点灯画素の電流を連続検出する電流検出部と、該電流検出部により検出した電流出力値を記憶する記憶手段と、エージング終了時間を判断する制御装置とを備えており、
制御装置は、電流検出部による電流検出値と、記憶手段に記憶した電流検出値とを比較し、この比較結果に基づいてエージング終了時間を判断することを特徴とする。
【００２２】
このエージング処理装置において、ＸＹマトリクスパネルがマルチカラータイプであり、点灯画素の電流を連続検出する電流検出部が発光色ごとに独立に配され、記憶手段が発光色ごとの電流測定値を記憶し、
制御装置は、電流検出部による電流検出値と記憶手段に記憶した電流検出値とを比較し、比較結果に基づいてエージング終了時間を発光色ごとに判断してもよい。
【００２３】
【発明の実施の形態】
以下に、本発明の実施の形態を図面に基づいて説明するが、本発明はこれらの実施形態に限るものではない。
【００２４】
〔第１の実施形態〕
図１は、第１の実施形態におけるＸＹマトリクスパネルのエージング処理装置を示す模式図である。図１において、１はＸＹマトリクスパネルとしての有機ＥＬパネルにおける有機ＥＬ素子であり、有機ＥＬ素子は対向する一対の電極間に少なくとも有機発光材料からなる発光層を含む有機層を積層して成る積層構造体を基板上に備えているが、製品により形態が異なり、セグメントタイプの有機ＥＬ素子、パッシブ駆動タイプのモノカラーパネルあるいはフルカラーパネルなどのいずれかである。２はエージング駆動手段としてのドライバであり、本実施形態では有機ＥＬ素子を点灯検査するためのドライバである。３は有機ＥＬ素子の輝度を測定する輝度測定手段としての光センサー、４はドライバ出力をオン・オフするスイッチ、５は制御を行うマイコンであり、光センサー３により測定した輝度の測定値を記憶する記憶手段としてのＲＡＭを備えている。
【００２５】
有機ＥＬパネルが製造ラインで完成し、有機ＥＬ素子１の点灯チェックが行なわれた後、有機ＥＬ素子１は図１の構成でエージングを行なう。エージング処理装置の電源を入れると、まずマイコン５がスイッチ４をオンし、ドライバ２からデューティ駆動定電圧出力を有機ＥＬ素子１に印加する。そして、光センサー３の出力をマイコン５のＡ／Ｄ入力ポートに取り込み、マイコン５は有機ＥＬ素子１の輝度を常時監視する。
【００２６】
マイコン５は、点灯開始直後の初期輝度値をＲＡＭに記憶した後、光センサーからの信号を、例えば１秒間隔のサンプリングで、Ａ／Ｄ入力ポートに取り込みを開始する。このとき、ドライバ２はデューティ駆動をしているため、有機ＥＬ素子１の発光と輝度データの取り込みサンプリングは同期しているものとする。
【００２７】
さらにマイコン５は、前記のサンプリング間隔で取り込まれる光センサー３の出力と、ＲＡＭに記憶した初期輝度値を常時比較し、取り込まれた光センサー３の出力が、初期輝度値を上回っているいる間はスイッチ４をオンのまま保持し、有機ＥＬ素子１の発光及び光センサー３のサンプリングを継続する。そして、光センサー３の出力が初期輝度値と同じか、下回ったことを検出した後、スイッチ４をオフし、有機ＥＬ素子１の発光を停止し、エージング工程を終了する。
【００２８】
また、光センサー３の出力と記憶した初期輝度値とを常時比較する方法ではなく、前回のサンプリングで取り込んだ光センサー３の出力との比較を常時行なうことで、図５におけるｔ１を検出した後、エージングを終了させる方法も考えられる。この場合にも、輝度変化が急峻なｔ１を過ぎて輝度安定域に入っており、エージング時間をｔ２からｔ１に更に短くすることができるものである。
【００２９】
〔第２の実施形態〕
図２は、第２の実施形態におけるＸＹマトリクスパネルのエージング処理装置を示す模式図である。第２の実施形態では、第１の実施形態と共通な部分は説明を省略する。図２において、１はＸＹマトリクスパネルとしての有機ＥＬパネルにおける有機ＥＬ素子、２はエージング駆動手段としてのドライバ、４はドライバ出力をオン・オフするスイッチ、５は記憶手段としてのＲＡＭを備えているマイコン、６は有機ＥＬ素子１の電流検出をする差動アンプ、７は電流検出抵抗である。
【００３０】
第１の実施形態では有機ＥＬ素子１の輝度を測定していたのに対し、第２の実施形態では有機ＥＬ素子１の輝度を測定せず、差動アンプ６と電流検出抵抗７とからなる電流検出部を備え、電流を検出する点で異なっている。
【００３１】
有機ＥＬ素子１における発光輝度と電流とは比例する。そのため、図５において、有機ＥＬ素子１を定電圧で駆動した場合の通電時間と輝度との関係をプロットしたが、通電時間と電流との関係をプロットしても同様の軌跡が得られる。即ち、図５に示した輝度変化と同様に通電初期に電流が一旦上昇し、時間ｔ２を経過すると電流は初期電流と同じレベルに降下した後、更に徐々に電流が降下していく変化を示すこととなる。
【００３２】
エージング処理装置の電源を入れると、まずマイコン５がスイッチ４をオンし、ドライバ２からデューティ駆動定電圧出力を有機ＥＬ素子１に印加する。差動アンプ６と電流検出抵抗７とからなる電流検出部の出力をマイコン５のＡ／Ｄ入力ポートに取り込み、マイコン５は有機ＥＬ素子の電流を常時監視する。そして、マイコン５は、点灯開始直後の初期電流値をＲＡＭに記憶した後、電流検出部からの信号を、例えば１秒間隔のサンプリングで、Ａ／Ｄ入力ポートに取り込みを開始する。このとき、ドライバ２はデューティ駆動をしているため、有機ＥＬ素子１の発光と電流データの取り込みサンプリングは同期しているものとする。
【００３３】
さらにマイコン５は、前記のサンプリング間隔で取り込まれる電流検出部の出力とＲＡＭに記憶した初期電流値とを常時比較し、取り込まれた電流検出部の出力がＲＡＭに記憶した初期電流値を上回っているいる間はスイッチ４をオンのまま保持し、有機ＥＬ素子１の発光及び電流検出部のサンプリングを継続する。そして、電流検出部の出力が初期電流値と同じか、下回ったことを検出した後、スイッチ４をオフし、有機ＥＬ素子１の発光を停止し、エージング工程を終了する。
【００３４】
また、電流検出部の出力とＲＡＭに記憶した初期輝度値とを常時比較する方法ではなく、前回のサンプリングで取り込んだ電流検出部の出力との比較を常時行なうことで、図５におけるｔ１を検出した後、エージングを終了させる方法も考えられる。この場合にも、輝度変化が急峻なｔ１を過ぎて輝度安定域に入っており、エージング時間をｔ２からｔ１に更に短くすることができるものである。
【００３５】
〔第３の実施形態〕
図３は、第３の実施形態におけるＸＹマトリクスパネルのエージング処理装置を示す模式図である。第３の実施形態では、第１の実施形態と共通な部分は説明を省略する。図３において、１はＸＹマトリクスパネルとしての有機ＥＬパネルにおける有機ＥＬ素子、２はエージング駆動手段としてのドライバ、３は有機ＥＬ素子の輝度を測定する輝度測定手段としての光センサー、４はドライバ出力をオン・オフするスイッチ、５は記憶手段としてのＲＡＭを備えているマイコンである。
【００３６】
第３の実施形態は、フルカラーの有機ＥＬパネルを想定したエージング処理装置として構成されている。即ち、光センサー３ａ、３ｂ、３ｃがＲＧＢの夫々の発光色ごと独立し、光センサー３ａ、３ｂ、３ｃの出力に基づき、スイッチ４ａ、４ｂ、４ｃを独立制御している点で、第１の実施形態と異なっている。
【００３７】
第１の実施形態と同様に、光センサー３ａ、３ｂ、３ｃの出力をマイコン５のＡ／Ｄ入力ポートに取り込み、マイコン５は有機ＥＬ素子１ａ、１ｂ、１ｃの３色の輝度を常時監視する。そして、マイコン５は点灯開始直後の３色の初期輝度値を記憶した後、光センサー３ａ、３ｂ、３ｃからの信号を、例えば１秒間隔のサンプリングで、Ａ／Ｄ入力ポートに取り込みを開始する。
【００３８】
またマイコン５は、前記のサンプリング間隔で取り込まれる光センサー３ａ、３ｂ、３ｃの出力とＲＡＭに記憶した初期輝度値とを常時比較し、取り込まれた光センサー３ａ、３ｂ、３ｃの出力が初期輝度値を上回っているいる間はスイッチ４ａ、４ｂ、４ｃをオンのまま保持し、有機ＥＬ素子１の発光及び光センサー３ａ、３ｂ、３ｃのサンプリングを継続する。そして、光センサー３ａ、３ｂ、３ｃの出力が初期輝度値と同じか、下回ったことを個別に検出した後、スイッチ４ａ、４ｂ、４ｃを個別にオフし、有機ＥＬ素子１ａ、１ｂ、１ｃの発光を停止し、エージング工程を終了する。
【００３９】
〔第４の実施形態〕
図４は、第４の実施形態におけるＸＹマトリクスパネルのエージング処理装置を示す模式図である。第４の実施形態では、第１の実施形態と共通な部分は説明を省略する。図４において、１はＸＹマトリクスパネルとしての有機ＥＬパネルにおける有機ＥＬ素子、２はエージング駆動手段としてのドライバ、４はドライバ出力をオン・オフするスイッチ、５は記憶手段としてのＲＡＭを備えているマイコン、６は有機ＥＬ素子１の電流検出をする差動アンプ、７は電流検出抵抗である。
【００４０】
第４の実施形態は、フルカラーの有機ＥＬパネル１を想定したエージング処理装置として構成されている。即ち、差動アンプ６ａ、６ｂ、６ｃと電流検出抵抗７ａ、７ｂ、７ｃとからなる電流検出部がＲＧＢの夫々の発光色ごと独立し、電流検出部の出力に基づき、スイッチ４ａ、４ｂ、４ｃを独立制御している点で、第２の実施形態と異なっている。
【００４１】
第２の実施形態と同様に、電流検出部の出力をマイコン５のＡ／Ｄ入力ポートに取り込み、マイコン５は有機ＥＬ素子１ａ、１ｂ、１ｃの３色の電流を監視する。そして、マイコン５は点灯開始直後の３色の初期電流値を記憶した後、電流検出部からの信号を、例えば１秒間隔のサンプリングで、Ａ／Ｄ入力ポートに取り込みを開始する。
【００４２】
またマイコン５は、前記のサンプリング間隔で取り込まれる電流検出部の出力とＲＡＭに記憶した初期電流値を常時比較し、取り込まれた電流検出部の出力が初期電流値を上回っているいる間はスイッチ４ａ、４ｂ、４ｃをオンのまま保持し、有機ＥＬ素子１ａ、１ｂ、１ｃの発光及び電流検出部のサンプリングを継続する。そして、電流検出部の出力が初期電流値と同じか、下回ったことを個別に検出した後、スイッチ４ａ、４ｂ、４ｃを個別にオフし、有機ＥＬ素子１ａ、１ｂ、１ｃの発光を停止し、エージング工程を終了する。
【００４３】
【発明の効果】
以上説明したように、本発明に係るＸＹマトリクスパネルのエージング処理方法、及びこれに使用するエージング処理装置は、輝度の安定化を図るためのエージング工程において、エージング時期の最適化を図ることができ、製造タクトを抑え、また不用意に輝度を劣化させることのないＸＹマトリクスパネルを実現することができる。
【図面の簡単な説明】
【図１】第１の実施形態におけるマトリクスパネルのエージング処理装置を示す模式図である。
【図２】第２の実施形態におけるマトリクスパネルのエージング処理装置を示す模式図である。
【図３】第３の実施形態におけるマトリクスパネルのエージング処理装置を示す模式図である。
【図４】第４の実施形態におけるマトリクスパネルのエージング処理装置を示す模式図である。
【図５】有機ＥＬ素子における輝度劣化状況を示す説明図である。
【符号の説明】
１　有機ＥＬ素子
２　エージングドライバ
３　光センサー
４　スイッチ
５　マイコン
６　差動アンプ
７　電流検出抵抗
【図１】
2004087407.tif 000003
【図２】
2004087407.tif 000004
【図３】
2004087407.tif 000005
【図４】
2004087407.tif 000006
【図５】
2004087407.tif 000007